(57)【要約】ファン用の駆動アセンブリ（１００）及びファン用の駆動アセンブリを備えるファンであって、駆動アセンブリ（１００）は、モータブラケット（１）と、第１駆動モータ（２）と、接続コラム（４１）及びボールヘッド（４２）を備え、接続コラム（４１）の一端が第１駆動モータ（２）の出力軸に接続され、ボールヘッド（４２）が接続コラム（４１）の他端に設けられ、かつボールヘッド（４２）の球心と接続コラム（４１）の回転軸線との間に所定距離が有する球形クランク（４）と、第１端（３１）及び第２端（３２）を有し、第２端（３２）がボールヘッド（４２）に回転可能に接続され、出力軸が第１端（３１）に設けられ、かつファンブレード（２００）に接続される第２駆動モータ（３）と、を備える。【選択図】図１
2020523520.tif 000002
【特許請求の範囲】
【請求項１】
モータブラケットと、
前記モータブラケットに設けられる第１駆動モータと、
接続コラム及びボールヘッドを備え、前記接続コラムの一端が前記第１駆動モータの出力軸に接続され、前記ボールヘッドが前記接続コラムの他端に設けられ、かつ前記ボールヘッドの球心と前記接続コラムの回転軸線との間に所定距離を有する球形クランクと、
前記モータブラケットに前記第１駆動モータと離間して設けられ、第１端及び第２端を有し、前記第２端が前記ボールヘッドに回転可能に接続され、出力軸が前記第１端に設けられ、かつ出力軸がファンブレードに接続される第２駆動モータと、を備える、
ことを特徴とするファン用の駆動アセンブリ。
【請求項２】
前記モータブラケットに設けられかつ前記第２駆動モータの出力軸に嵌めて設けられる球形のジョイントベアリングをさらに備える、
ことを特徴とする請求項１に記載のファン用の駆動アセンブリ。
【請求項３】
第１接続板をさらに備え、
前記第１接続板が前記第２端に接続され、前記第１接続板の前記第２駆動モータとは反対側には、前記ボールヘッドと嵌合するボールスリーブが設けられる、
ことを特徴とする請求項２に記載のファン用の駆動アセンブリ。
【請求項４】
第２接続板をさらに備え、
前記第２接続板が前記第１端に接続され、前記第２接続板の前記第２駆動モータとは反対側に中心コラムが設けられ、前記中心コラムに前記第２駆動モータの出力軸が貫通する貫通孔が設けられ、前記球形のジョイントベアリングが前記中心コラムの外面に嵌めて設けられる、
ことを特徴とする請求項２に記載のファン用の駆動アセンブリ。
【請求項５】
前記中心コラムの外周壁には、その周方向に延びる係止溝が設けられ、
前記駆動アセンブリは、サークリップをさらに備え、
前記サークリップが前記係止溝内に係止されて前記球形のジョイントベアリングを前記第２接続板と前記サークリップとの間に位置決めする、
ことを特徴とする請求項４に記載のファン用の駆動アセンブリ。
【請求項６】
前記第２接続板に位置決めコラムが設けられ、前記球形のジョイントベアリングに固定部が設けられ、前記固定部が前記球形のジョイントベアリングの内輪に接続され、前記固定部には前記位置決めコラムと嵌合する位置決め孔が設けられる、
ことを特徴とする請求項４に記載のファン用の駆動アセンブリ。
【請求項７】
前記球形のジョイントベアリングの外周壁に嵌めて設けられるゴムスリーブをさらに備える、
ことを特徴とする請求項２に記載のファン用の駆動アセンブリ。
【請求項８】
ファンブレードの回転時に形成される理論的な気流柱の最外縁とファンブレードの回転中心軸線との夾角が風拡散角Ｒとして定義され、前記Ｒは０°＜Ｒ≦４５°を満たす、
ことを特徴とする請求項１〜７のいずれか１項に記載のファン用の駆動アセンブリ。
【請求項９】
支持アセンブリと、
請求項１〜８のいずれか１項に記載のファン用の駆動アセンブリであって、前記モータブラケットが前記支持アセンブリに回転可能に設けられるファン用の駆動アセンブリと、
前記第２駆動モータの出力軸に接続されるファンブレードを備えるファンヘッドと、を備える、
ことを特徴とするファン。
【請求項１０】
前記支持アセンブリ及び前記モータブラケットのいずれか一方に設けられ、出力軸が前記支持アセンブリ及び前記モータブラケットの他方に接続される第３駆動モータをさらに備える、
ことを特徴とする請求項９に記載のファン。
【発明の詳細な説明】
【技術分野】
【０００１】
本発明は換気の技術分野に関し、特にファン用の駆動アセンブリ及びファン用の駆動アセンブリを備えるファンに関する。
【背景技術】
【０００２】
関連技術では、ほとんどのファンはヘッド部分全体が首振りし、かつ水平首振りしかできず、モータ及びファンブレードが独立して回転することがない。従来の首振りは、後部同期モータがクランク、リンクを駆動してヘッド部分全体の水平首振りを実現するものであり、このよう設計はファンブレードから送風される風速分布が小さく、ヘッド部分が通過する場所にしか風が発生せず、送風範囲が小さい。
【発明の概要】
【課題を解決するための手段】
【０００３】
本発明は、従来技術に存在する技術的課題の少なくとも１つを解決することを目的とする。そのために、本発明は、ファンの吹出し範囲を拡げ、ファンの送風距離を向上させるという利点を有するファン用の駆動アセンブリを提供する。
【０００４】
本発明は、さらに、上記ファン用の駆動アセンブリを備えるファンを提供する。
【０００５】
本発明の実施例によるファン用の駆動アセンブリは、モータブラケットと、前記モータブラケットに設けられる第１駆動モータと、接続コラム及びボールヘッドを備え、前記接続コラムの一端が前記第１駆動モータの出力軸に接続され、前記ボールヘッドが前記接続コラムの他端に設けられ、かつ前記ボールヘッドの球心と前記接続コラムの回転軸線との間に所定距離が有する球形クランクと、前記モータブラケットに前記第１駆動モータと離間して設けられ、第１端及び第２端を有し、前記第２端が前記ボールヘッドに回転可能に接続され、出力軸が前記第１端に設けられ、かつ出力軸がファンブレードに接続される第２駆動モータと、を備える。
【０００６】
本発明の実施例によるファン用の駆動アセンブリは、第１駆動モータと球形クランクを設置することで、球形クランクの一端が第１駆動モータの出力軸に接続され、ボールヘッドが第２駆動モータの第２端に回転可能に接続され、第１駆動モータが作動すると、第２駆動モータ及び第２駆動モータの出力軸に接続されるファンブレードが接続コラムの回転軸線の周りを３６０°回転することを達成し、それにより送風範囲を拡げ、送風速度と送風距離を向上させ、使用者の快適さを満たすことができる。
【０００７】
本発明によるいくつかの実施例においては、前記モータブラケットに設けられかつ前記第２駆動モータの出力軸に嵌めて設けられる球形のジョイントベアリングをさらに備える。
【０００８】
本発明のいくつかの実施例においては、第１接続板をさらに備え、前記第１接続板が前記第２端に接続され、前記第１接続板の前記第２駆動モータとは反対側には、前記ボールヘッドと嵌合するボールスリーブが設けられる。
【０００９】
本発明のいくつかの実施例においては、第２接続板をさらに備え、前記第２接続板が前記第１端に接続され、前記第２接続板の前記第２駆動モータとは反対側に中心コラムが設けられ、前記中心コラムに前記第２駆動モータの出力軸が貫通する貫通孔が設けられ、前記球形のジョイントベアリングが前記中心コラムの外面に嵌めて設けられる。
【００１０】
本発明のいくつかの実施例においては、前記中心コラムの外周壁には、その周方向に延びる係止溝が設けられ、前記駆動アセンブリは、前記係止溝に係止されて前記球形のジョイントベアリングを前記第２接続板と前記サークリップとの間に位置決めするサークリップをさらに備える。
【００１１】
本発明のいくつかの実施例においては、前記第２接続板に位置決めコラムが設けられ、前記球形のジョイントベアリングに固定部が設けられ、前記固定部が前記球形のジョイントベアリングの内輪に接続され、前記固定部には前記位置決めコラムと嵌合する位置決め孔が設けられる。
【００１２】
本発明のいくつかの実施例においては、前記球形のジョイントベアリングの外周壁に嵌めて設けられるゴムスリーブをさらに備える。
【００１３】
本発明によるいくつかの実施例においては、ファンブレードの回転時に形成される理論的な気流柱の最外縁とファンブレードの回転中心軸線との夾角は風拡散角Ｒとして定義され、前記Ｒは０°＜Ｒ≦４５°を満たす。
【００１４】
本発明の実施例によるファンは、支持アセンブリと、前記モータブラケットが前記支持アセンブリに回転可能に設けられる上記ファン用の駆動アセンブリと、前記第２駆動モータの出力軸に接続されるファンブレードを備えるファンヘッドと、を備える。
【００１５】
本発明の実施例によるファンは、第１駆動モータと球形クランクを設置することで、球形クランクの一端が第１駆動モータの出力軸に接続され、ボールヘッドが第２駆動モータの第２端に回転可能に接続され、第１駆動モータが作動すると、第２駆動モータ及び第２駆動モータの出力軸に接続されるファンブレードが接続コラムの回転軸線の周りを３６０°回転することを達成し、それにより送風範囲を拡げ、送風速度と送風距離を向上させ、使用者の快適さを満たすことができる。
【００１６】
本発明によるいくつかの実施例においては、前記ファンは、前記支持アセンブリ及び前記モータブラケットのいずれか一方に設けられ、出力軸が前記支持アセンブリ及び前記モータブラケットの他方に接続される第３駆動モータをさらに備える。
【００１７】
本発明の追加の態様及び利点は、以下の説明において部分的に説明され、その一部は、以下の説明から明らかなになるか、又は本発明を実施することによって把握できる。
【図面の簡単な説明】
【００１８】
【図１】図１は本発明の実施例によるファン用の駆動アセンブリの斜視図である。
【図２】図２は本発明の実施例によるファン用の駆動アセンブリの分解図である。
【図３】図３は本発明の実施例によるファン用の駆動アセンブリの一部の構造の斜視図である。
【図４】図４は本発明の実施例によるファン用の駆動アセンブリの一部の構造の斜視図である。
【図５】図５は本発明の実施例によるファン用の駆動アセンブリの球形クランクの斜視図である。
【図６】図６は本発明の実施例によるファン用の駆動アセンブリの第２接続板の斜視図である。
【図７】図７は本発明の実施例によるファン用の駆動アセンブリの球形のジョイントベアリングの斜視図である。
【図８】図８は本発明の実施例によるファン用の駆動アセンブリのサークリップの斜視図である。
【図９】図９は本発明の実施例によるファン用の駆動アセンブリの吹出し模式図である。
【発明を実施するための形態】
【００１９】
本発明の上記及び／又は追加の態様及び利点は、以下の図面を参照しながら実施例を説明することによって明らかで容易に理解できるようになる。以下、本発明の実施例を詳細に説明する。前記実施例における例が図面に示され、同一又は類似する符号は、常に同一又は類似する部品、或いは、同一又は類似する機能を有する部品を表す。図面を参照しながら以下に説明される実施例は例示的なものであり、本発明を解釈することを旨とし、本発明を限定するものと理解してはいけない。
【００２０】
なお、本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。また、「第１」、「第２」と限定されている特徴は、１つ又はより多くの該特徴を含むことを明示又は暗示するものである。本発明の説明において、他の説明がない限り、「複数」とは、２つ以上を意味する。
【００２１】
ただし、本発明の説明において、明確な規定と限定がない限り、「取り付ける」、「互いに接続する」、「接続する」の用語の意味は広義に理解されるべきである。例えば、固定接続や、着脱可能な接続や、或いは一体的な接続でも可能である。機械的な接続や、電気的な接続も可能である。直接的に接続することや、間に媒体を介して間接的に接続することや、二つの部品の内部が連通することも可能である。当業者であれば、具体的な場合に応じて上記用語の本発明においての具体的な意味を理解することができる。
【００２２】
以下、図１〜図９を参照しながら、本発明の実施例によるファン用の駆動アセンブリ１００について説明する。
【００２３】
図１〜図９に示すように、本発明の実施例によるファン用の駆動アセンブリ１００は、モータブラケット１、第１駆動モータ２、球形クランク４及び第２駆動モータ３を備える。
【００２４】
具体的には、図１、図２、図４及び図５に示すように、球形クランク４は、接続コラム４１及びボールヘッド４２を備え、接続コラム４１の一端が第１駆動モータ２の出力軸に接続され、ボールヘッド４２が接続コラム４１の他端に設けられ、かつボールヘッド４２の球心と接続コラム４１の回転軸線との間に、ゼロより大きい所定距離が有する。球形クランク４はクランク構造である。図１、図２及び図３に示すように、第２駆動モータ３がモータブラケット１に第１駆動モータ２と離間して設けられ、第２駆動モータ３は第１端３１及び第２端３２を有し、第２端３２がボールヘッド４２に回転可能に接続され、第２駆動モータ３の出力軸が第１端３１に設けられ、第２駆動モータ３の出力軸がファンブレード２００に接続される。
【００２５】
第１駆動モータ２が作動し、第１駆動モータ２の出力軸が回転することで接続コラム４１が回転するように連動でき、ボールヘッド４２が接続コラム４１の回転軸線の周りを回転できることで、第２駆動モータ３の第２端３２が接続コラム４１の回転軸線の周りを３６０°回転するように連動し、第２駆動モータ３の出力軸がモータブラケット１の支持作用下で接続コラム４１の回転軸線の周りを３６０°回転し、さらにファンブレード２００が接続コラム４１の回転軸線の周りを３６０°回転するように連動する。また、第２駆動モータ３はファンブレード２００がその回転軸線の周りを回転するように駆動できる。それにより、ファンブレード２００がその回転軸線の周りを回転でき、さらにファンブレード２００が接続コラム４１の回転軸線の周りを３６０度回転することを達成でき、ファンブレード２００が送風してスパイラル状風を形成し、それにより送風範囲を拡げ、送風速度と送風距離を向上させ、使用者の快適さを満たす。
【００２６】
本発明の実施例によるファン用の駆動アセンブリ１００は、第１駆動モータ２と球形クランク４を設置することで、球形クランク４の一端が第１駆動モータ２の出力軸に接続され、ボールヘッド４２が第２駆動モータ３の第２端３２に回転可能に接続され、第１駆動モータ２が作動すると、第２駆動モータ３及び第２駆動モータ３の出力軸に接続されるファンブレード２００が接続コラム４１の回転軸線の周りを３６０°回転することを達成でき、それにより送風範囲を拡げ、送風速度と送風距離を向上させ、使用者の快適さを満たすことができる。
【００２７】
本発明のいくつかの実施例においては、図２、図３及び図７に示すように、駆動アセンブリ１００は、モータブラケット１に設けられかつ第２駆動モータ３の出力軸に嵌めて設けられる球形のジョイントベアリング５をさらに備える。それにより第２駆動モータ３の出力軸がモータブラケット１に対して接続コラム４１の回転軸線の周りを３６０°回転しやすくなり、モータブラケット１による第２駆動モータ３の出力軸に対する磨損を低減させて、第２駆動モータ３の作動の確実性を向上させる。
【００２８】
さらに、図２と図３に示すように、モータブラケット１に係合溝１１１が設けられ、係合溝１１１が円弧状溝であり、球形のジョイントベアリング５が係合溝１１１内に係止される。係合溝１１１は球形のジョイントベアリング５に対して固定役割を果たすことができ、球形のジョイントベアリング５がファン作動でモータブラケット１から欠落することを防止し、それにより駆動アセンブリ１００の作動の確実性を向上させ、さらにファンの作動の確実性を向上させる。
【００２９】
本発明のいくつかの実施例においては、図２と図４に示すように、駆動アセンブリ１００は、第１接続板６をさらに備え、第１接続板６が第２端３２に接続され、たとえば、第１接続板６は第２端３２とねじ締め具を介して接続することができ、第１接続板６の第２駆動モータ３とは反対側、すなわち第１接続板６の球形クランク４に向く一側には、ボールヘッド４２と嵌合するボールスリーブ６１が設けられる。ボールヘッド４２がボールスリーブ６１内を回転でき、かつ３６０°回転できることで、球形クランク４と第２駆動モータ３の回転可能な接続を達成しやすく、球形クランク４が、第２駆動モータ３が接続コラム４１の回転軸線の周りを３６０°回転するように駆動しやすい。また、球形クランク４をボールスリーブ６１に組み立てると、ボールヘッド４２をボールスリーブ６１内に直接圧入し、ボールスリーブ６１内に係止することができる。
【００３０】
本発明のいくつかの実施例においては、図２、図３及び図６に示すように、駆動アセンブリ１００は、第２接続板７をさらに備え、第２接続板７が第１端３１に接続され、たとえば、第２接続板７が第２駆動モータ３の第１端３１とねじ締め具を介して接続することができる。第２接続板７の第２駆動モータ３とは反対側、すなわち第２接続板７のファンブレード２００に向く一側には、横断面が円形の中心コラム７１が設けられ、中心コラム７１には、その長さ方向に延びており、第２駆動モータ３の出力軸が貫通する貫通孔７１１が設けられ、球形のジョイントベアリング５が中心コラム７１の外面に嵌めて設けられる。それにより、第２駆動モータ３の出力軸を球形のジョイントベアリング５に嵌合しやすくし、駆動アセンブリ１００の作動の確実性を向上させる。
【００３１】
さらに、図６に示すように、中心コラム７１の外周壁には、その周方向に延びる係止溝７３が設けられる。図２、図３及び図８に示すように、駆動アセンブリ１００は、係止溝７３内に係止されて球形のジョイントベアリング５を第２接続板７とサークリップ７４との間に位置決めすることに適するサークリップ７４をさらに備える。球形のジョイントベアリング５がモータブラケット１に設けられるため、球形のジョイントベアリング５を第２接続板７とサークリップ７４との間に位置決めすることで、第２駆動モータ３と球形のジョイントベアリング５との間の相対位置を確保でき、第２駆動モータ３の出力軸を球形のジョイントベアリング５に嵌合やすくして、第２駆動モータ３は、ファンブレード２００が接続コラム４１の回転軸線の周りを３６０°回転するように連動することを達成しやすく、それにより送風範囲を拡げ、送風速度と送風距離を向上させ、使用者の快適さを満たすことができる。
【００３２】
またさらに、図８に示すように、サークリップ７４は円弧状であり、係止溝７３内に係止されるように、円弧状のサークリップ７４は開口部を有する。具体的には、該円弧に対応する中心角が１８０°より大きいことで、サークリップ７４が係止溝７３内から欠落することを避けることができる。またさらに、サークリップ７４の内周壁に少なくとも１つの凹溝７４１が設けられ、サークリップ７４が凹溝７４１箇所に変形しやすいため、サークリップ７４を係止溝７３内に係止しやすくし、かつ係止溝７３内から取り出しやすくする。
【００３３】
本発明のいくつかの実施例においては、図２、図６及び図７に示すように、第２接続板７に位置決めコラム７２が設けられ、球形のジョイントベアリング５に固定部５１が設けられ、固定部５１が球形のジョイントベアリング５の内輪に接続され、固定部５１には、位置決めコラム７２と嵌合する位置決め孔５１１が設けられる。位置決めコラム７２が位置決め孔５１１内に延び込むことができ、第２駆動モータ３の出力軸が球形のジョイントベアリング５に嵌合すると、すなわち第２接続板７における中心コラム７１が球形のジョイントベアリング５に嵌合すると、位置決めコラム７２が位置決め孔５１１内に延び込み、第２接続板７と球形のジョイントベアリング５との間の嵌合の確実性を確保でき、それにより第２駆動モータ３の出力軸と球形のジョイントベアリング５との間の嵌合の確実性を確保する。
【００３４】
本発明のいくつかの実施例においては、図９に示すように、ファンブレード２００の回転時に形成される理論的な気流柱の最外縁とファンブレード２００の回転中心軸線との夾角は風拡散角Ｒとして定義され、前記Ｒは０°＜Ｒ≦４５°を満たす。それにより、送風範囲を拡げ、使用者の快適さを満たすことができる。
【００３５】
本発明のいくつかの実施例においては、駆動アセンブリ１００は、球形のジョイントベアリング５の外周壁に嵌めて設けられるゴムスリーブをさらに備える。それにより駆動アセンブリ１００の作動中の振動を減少させ、駆動アセンブリ１００の作動の確実性を向上させる。
【００３６】
本発明のいくつかの実施例においては、図１と図２に示すように、駆動アセンブリ１００は、フロントハウジング８をさらに備え、フロントハウジング８がモータブラケット１に接続され、第２駆動モータ３の出力軸がフロントハウジング８を貫通してファンブレード２００に接続される。フロントハウジング８は、駆動アセンブリ１００の外観の美観性を増すことができるとともに、駆動アセンブリ１００に埃が付くことを防止できる。
【００３７】
本発明のいくつかの実施例においては、駆動アセンブリ１００は、ガードナット９をさらに備え、ガードナット９がフロントハウジング８のモータブラケット１とは反対側に位置し、ガードナット９がフロントハウジング８にねじ接続され、第２駆動モータ３の出力軸がフロントハウジング８とガードナット９を貫通してファンブレード２００に接続される。ガードナット９は、ファンブレード２００の吹出しフレームをフロントハウジング８とガードナット９との間に位置決めし、吹出しフレームを固定する目的を達成することに用いられる。
【００３８】
以下、図１〜図９を参照しながら、本発明の具体的な実施例によるファン用の駆動アセンブリ１００について説明し、以下の説明は例示的なものにすぎず、本発明を解釈するためのものであり、本発明に対する制限として理解してはいけないことを理解できる。
【００３９】
図１〜図９に示すように、本発明の実施例によるファン用の駆動アセンブリ１００は、モータブラケット１、第１駆動モータ２、球形クランク４、第２駆動モータ３、第１接続板６、第２接続板７、球形のジョイントベアリング５、及びサークリップ７４を備える。
【００４０】
図２に示すように、モータブラケット１は第１取付板１１及び第２取付板１２を備え、第１取付板１１と第２取付板１２とが離間して設置される。第１駆動モータ２がねじ締め具を介して第２取付板１２に設けられ、かつ第２取付板１２の第１取付板１１とは反対側に位置し、第２取付板１２に円形孔のビアホール１２１が設けられ、第１駆動モータ２の出力軸がビアホール１２１を貫通して第１取付板１１と第２取付板１２との間に延び込む。
【００４１】
図１、図２及び図５に示すように、球形クランク４は、接続コラム４１及びボールヘッド４２を備え、接続コラム４１は中空構造であり、第１駆動モータ２の出力軸が接続コラム４１のキャビティ内に延び込み、固定ピンが接続コラム４１と第１駆動モータ２の出力軸を貫通して接続コラム４１と第１駆動モータ２の出力軸との間の接続を達成する。ボールヘッド４２が接続コラム４１の第１駆動モータ２とは反対端に設けられ、かつボールヘッド４２の球心と接続コラム４１の回転軸線との間にゼロより大きい所定距離が有する。
【００４２】
図１〜図４に示すように、第２駆動モータ３は第１取付板１１と第２取付板１２との間に位置し、第２駆動モータ３と第１駆動モータ２とが離間しており、第２駆動モータ３は第１端３１及び第２端３２を有し、第２駆動モータ３の出力軸が第１端３１に設けられ、第２駆動モータ３の出力軸がファンブレード２００に接続されてファンブレード２００を回転するように駆動することに適した。第１接続板６は円形板であり、ねじ締め具を介して第２端３２に接続され、第２駆動モータ３を放熱するように、第１接続板６に離間している複数の放熱孔６２が設けられる。図４に示すように、第１接続板６の第２駆動モータ３とは反対側にはボールヘッド４２と嵌合するボールスリーブ６１が設けられ、ボールヘッド４２がボールスリーブ６１内を３６０度回転できる。
【００４３】
図２、図３及び図６に示すように、第２接続板７は円形板であり、ねじ締め具を介して第１端３１に接続される。第２接続板７の第２駆動モータ３とは反対側の中心位置には、その軸線の方向に延びており、横断面が円形の中心コラム７１が設けられ、中心コラム７１には、その延在方向に延びる貫通孔７１１が設けられ、貫通孔７１１が中心コラム７１と第２接続板７を貫通し、第２駆動モータ３の出力軸が貫通孔７１１を貫通する。
【００４４】
図６に示すように、中心コラム７１の外周壁には、その周方向に延びる係止溝７３が設けられ、球形のジョイントベアリング５が中心コラム７１の外面に嵌めて設けられ、サークリップ７４は、係止溝７３内に係止されて球形のジョイントベアリング５を第２接続板７とサークリップ７４との間に位置決めし、それにより中心コラム７１と球形のジョイントベアリング５との嵌合の確実性を確保して、第２駆動モータ３の出力軸が回転しやすくなる。さらに、図２、図６及び図７に示すように、第２接続板７に位置決めコラム７２が設けられ、球形のジョイントベアリング５に固定部５１が設けられ、固定部５１が球形のジョイントベアリング５の内輪に接続され、固定部５１には位置決めコラム７２と嵌合する位置決め孔５１１が設けられる。それにより、さらに、中心コラム７１と球形のジョイントベアリング５との嵌合の確実性を確保する。
【００４５】
さらに、図８に示すように、サークリップ７４は円弧状であり、円弧状のサークリップ７４は、係止溝７３内に係止されるように、開口部を有する。具体的には、該円弧に対応する中心角が１８０°より大きいことで、サークリップ７４が係止溝７３内から欠落することを防止できる。またさらに、サークリップ７４の内周壁には２つの離間している凹溝７４１が設けられ、サークリップ７４が凹溝７４１箇所に変形しやすいため、サークリップ７４を係止溝７３内に係止しやすくし、かつ係止溝７３内から取り出しやすくする。
【００４６】
図２と図３に示すように、第１取付板１１に半円形の係合溝１１１が設けられ、中心コラム７１に嵌合した後の球形のジョイントベアリング５は、係合溝１１１内に係合して球形のジョイントベアリング５の固定を達成することに適し、それにより第２駆動モータ３の固定を達成する。
【００４７】
図１と図２に示すように、駆動アセンブリ１００は、フロントハウジング８をさらに備え、フロントハウジング８がモータブラケット１に接続され、第２駆動モータ３の出力軸がフロントハウジング８を貫通してファンブレード２００に接続される。フロントハウジング８は、駆動アセンブリ１００の外観の美観性を増すことができるとともに、駆動アセンブリ１００に埃が付くことを防止できる。駆動アセンブリ１００は、ガードナット９をさらに備え、ガードナット９がフロントハウジング８のモータブラケット１とは反対側に位置し、ガードナット９がフロントハウジング８にねじ接続され、第２駆動モータ３の出力軸がフロントハウジング８とガードナット９を貫通してファンブレード２００に接続される。ガードナット９は、ファンブレード２００の吹出しフレームをフロントハウジング８とガードナット９との間に位置決めし、吹出しフレームを固定する目的を達成することに用いられる。第１駆動モータ２と第２駆動モータ３を組み立てた後に、続いてフロントハウジング８、ガードナット９及びファンブレード２００を組み立てることができる。
【００４８】
駆動アセンブリ１００の作動過程は以下のとおりである。第１駆動モータ２が作動し、第１駆動モータ２の出力軸が球形クランク４を回転連動し、球形クランク４のボールヘッド４２は、第２駆動モータ３の第２端３２が接続コラム４１の回転軸線の周りを３６０度回転するように連動し、それにより第２駆動モータ３の出力軸が球形のジョイントベアリング５の作用下で接続コラム４１の回転軸線の周りを３６０度回転するように連動し、さらにファンブレード２００が接続コラム４１の回転軸線の周りを３６０°回転するように連動する。ファンブレード２００の回転時に形成される理論的な気流柱の最外縁とファンブレード２００の回転中心軸線との夾角は風拡散角Ｒとして定義され、前記Ｒは０°＜Ｒ≦４５°を満たす。それにより、送風範囲を拡げ、風速と送風距離を向上させ、使用者の快適さを向上させることができる。
【００４９】
以下、図１〜図９を参照しながら本発明の実施例によるファンについて説明する。
【００５０】
本発明の実施例によるファンは、支持アセンブリ、駆動アセンブリ１００及びファンヘッドを備える。
【００５１】
具体的には、モータブラケット１が支持アセンブリに回転可能に設けられ、ファンヘッドは、第２駆動モータ３の出力軸に接続されるファンブレード２００を備える。
【００５２】
本発明の実施例によるファンは、第１駆動モータ２と球形クランク４を設置することで、球形クランク４の一端が第１駆動モータ２の出力軸に接続され、ボールヘッド４２が第２駆動モータ３の第２端３２に回転可能に接続され、第１駆動モータ２が作動すると、第２駆動モータ３及び第２駆動モータ３の出力軸に接続されるファンブレード２００が接続コラム４１の回転軸線の周りを３６０°回転することを達成でき、それにより送風範囲を拡げ、送風速度と送風距離を向上させ、使用者の快適さを満たすことができる。
【００５３】
本発明のいくつかの実施例においては、ファンは第３駆動モータ３００をさらに備え、第３駆動モータ３００が支持アセンブリとモータブラケット１の一方に設けられ、第３駆動モータ３００の出力軸が支持アセンブリとモータブラケット１の他方に接続される。それにより、ファンヘッドの水平首振りを達成でき、ファンヘッドは水平首振りを達成できるだけではなく、接続コラム４１の回転軸線３６０の周りを回転することも達成でき、それにより送風範囲を拡げ、風速及び送風距離を向上させ、使用者の快適性を満たすことができる。
【００５４】
本明細書の説明において、「一実施例」、「いくつかの実施例」、「例示的な実施」「例」、「具体的な例」又は「いくつかの例」などの用語を参考した説明とは、当該実施例又は例に合わせて説明された具体的な特徴、構造、材料、又は特性が、本発明の少なくとも１つの実施例又は例に含まれることを意味する。本明細書において、上記用語に対する例示的な説明は必ずしも同一の実施例又は例を示すことではない。また、説明された具体的な特徴、構造、材料、又は特性は、いずれか１つ又は複数の実施例又は例において適切な形態で結合することができる。
【００５５】
以上、本発明の実施例を示して説明したが、当業者であれば、本発明の原理と主旨から逸脱することなく、本発明の範囲内でこれらの実施例に対してさまざまな修正、取り替え及び変形を行うことができ、本発明の範囲は特許請求の範囲とその等価物により限定されることを理解できる。
【符号の説明】
【００５６】
１００  駆動アセンブリ、１  モータブラケット、１１  第１取付板、１１１  係合溝、１２  第２取付板、１２１  ビアホール、２  第１駆動モータ、３  第２駆動モータ、３１  第１端、３２  第２端、４  球形クランク、４１  接続コラム、４２  ボールヘッド、５  球形のジョイントベアリング、５１  固定部、５１１  位置決め孔、６  第１接続板、６１  ボールスリーブ、６２  放熱孔、７  第２接続板、７１  中心コラム、７１１  貫通孔、７２  位置決めコラム、７３  係止溝、７４  サークリップ、７４１  凹溝、８  フロントハウジング、９  ガードナット、２００  ファンブレード、３００  第３駆動モータ。
【図１】
2020523520.tif 000003
【図２】
2020523520.tif 000004
【図３】
2020523520.tif 000005
【図４】
2020523520.tif 000006
【図５】
2020523520.tif 000007
【図６】
2020523520.tif 000008
【図７】
2020523520.tif 000009
【図８】
2020523520.tif 000010
【図９】
2020523520.tif 000011
【国際調査報告】
2020523520.tif 000012
2020523520.tif 000013
2020523520.tif 000014
2020523520.tif 000015